(57)【要約】【課題】  乾燥の消費電力を低減する。【解決手段】  衣類が収容される回転ドラムと、この回転ドラムを駆動するモータと、前記回転ドラムを支持する筐体とを有し、前記回転ドラムの底壁に複数本の凸状リブを中心から放射状に設け、かつ通風のための貫通孔を設けないように構成した洗濯乾燥機において、乾燥運転の初期段階で行う温風脱水工程で、前記回転ドラムが回転することで前記凸状リブのファン作用で前記回転ドラムに張り付いている衣類の表面を流れる空気の流れを発生させる。【選択図】図７
2010057771.tif 000002
【特許請求の範囲】
【請求項１】
衣類が収容される回転ドラムと、この回転ドラムを収容し回転ドラムと同芯上に配置し洗濯用の水を溜める外槽と、前記回転ドラムを駆動するモータと、前記回転ドラムを支持する筐体と、前記回転ドラム内に温風を供給する送風手段を有し、乾燥運転する洗濯乾燥機において、
前記回転ドラムに前記モータ回転軸を接続する回転ドラム底壁面に中央から放射状に延びる複数本の凸状リブを有するとともに、前記底壁面の少なくとも外周部は通気を遮断する構成としたことを特徴とする洗濯乾燥機。
【請求項２】
衣類が収容される回転ドラムと、この回転ドラムを収容し回転ドラムと同芯上に配置し洗濯用の水を溜める外槽と、前記回転ドラムを駆動するモータと、前記回転ドラムを支持する筐体と、前記回転ドラム内に温風を供給する送風手段を有し、乾燥運転する洗濯乾燥機において、
前記回転ドラムに前記モータ回転軸を接続する回転ドラム底壁面に中央から放射状に延びる複数本の凸状リブを有するとともに、前記底壁面には通気用の貫通孔を設けないことを特徴とする洗濯乾燥機。
【請求項３】
請求項１又は２において、前記凸状リブは前記回転ドラムの回転方向に対し捩れ角を有するように構成したことを特徴とする洗濯乾燥機。
【請求項４】
衣類が収容される回転ドラムと、この回転ドラムを収容し回転ドラムと同芯上に配置し洗濯用の水を溜める外槽と、前記回転ドラムを駆動するモータと、前記回転ドラムを支持する筐体と、前記回転ドラム内に温風を供給する送風手段を有し、乾燥運転する洗濯乾燥機において、
前記回転ドラムに前記モータ回転軸を接続する回転ドラム底壁面に中央から放射状に延びる複数本の凸状リブを有するとともに、前記底壁面の半径の少なくとも半分以上の部分には通気用の貫通孔を設けないことを特徴とする洗濯乾燥機。
【発明の詳細な説明】
【技術分野】
【０００１】
本発明は、洗濯乾燥機の脱水性能向上に関する。
【背景技術】
【０００２】
洗濯から乾燥までを連続して行える洗濯乾燥機による衣類の乾燥は、送風ファンと熱源により高温・低湿度の空気を作り、これを洗濯槽内に吹き込み、衣類の温度を高くし、衣類から水分を蒸発させ、蒸発した水分を機外へ排出することにより行う。蒸発した水分の除去方法としては、そのまま洗濯乾燥機外へ排出する排気方式（常に新しい空気を供給）と蒸発した水分を冷やし結露させて水分を除去する除湿方式（同じ空気を循環させる）があるが、家庭用では洗濯乾燥機を設置した室内へ水分が出ることがない除湿方式が多く用いられている。
【０００３】
洗濯乾燥機には、（１）乾燥時間が短いこと、（２）消費電力が少ないこと、（３）乾燥の仕上がりがよい（衣類のしわが少ない）こと、（４）衣類へのダメージが少ないこと等が求められている。このうち、（１）と（２）に関しては、空気の風量や温度を乾燥の進み具合に応じて適切に制御することで乾燥を効率よく行う洗濯乾燥機がある。また、洗濯槽内での衣類の動きを良くして、衣類から効率よく水分を蒸発させるようにした洗濯乾燥機がある。さらに、除湿方式として水冷方式を利用し、冷却水を風路の壁面全体に均一に流れるようにして高温多湿の温風との熱交換効率を高めた洗濯乾燥機がある。また、乾燥運転の最初に脱水運転を行い、極力衣類から水分を除去するようにしている。（４）に関しては衣類の温度が上がりすぎないように温風の温度を制限した（ヒータの入力を抑える）低温乾燥コースを備えた洗濯乾燥機がある。（３）に関しては、しわは乾燥中に衣類が絡んだり捻れたりすることにより発生するため、衣類の絡みや捻れが起きにくい洗濯乾燥機がある。
【０００４】
【特許文献１】特開昭６２−４４２９９号公報
【特許文献２】特開平９−７７４号公報
【特許文献３】特開２００５−０８０９４６号公報
【特許文献４】特開２００２−３４６２７２号公報
【発明の開示】
【発明が解決しようとする課題】
【０００５】
脱水運転での脱水性能を高めるためには、
（１）衣類を投入する洗濯兼脱水槽の回転速度を高め遠心力を増加させる。
（２）脱水中の衣類の温度を高くする。
（３）脱水兼洗濯槽の槽壁面に凸面を設ける。
などの方法が知られている。
【０００６】
（１）が最も一般的である。しかしながら、回転速度を高くするほどモータの消費電力が増加し、さらに、回転速度に対して脱水性能は飽和する傾向を示す。このため、回転速度を高めていくと乾燥運転全体の消費電力は低減していくが、ある回転速度以上になると消費電力が増大に転じてしまい、必要以上に回転速度を高めても消費電力を低減する効果はなくなる。また、高速回転するためには、洗濯乾燥機の強度を高める必要があり、コストの増加につながる。
【０００７】
（２）は脱水中に洗濯兼脱水槽内に温風を吹き込むことで実現できる。衣類の温度が上がることで衣類に含まれる水分の粘度や表面張力が低下するため、衣類の含水量が低減する。ただし、脱水中の衣類は洗濯兼脱水槽の壁面に張り付いているため、温風を衣類全体に満遍なく吹き付けることは困難である。また、温風を発生させるためには熱源に電力を供給する必要があり、電力を消費する。
【０００８】
（３）は槽壁面近傍の衣類の含水量を低減するのに有効な方法であり、凸面の高さが高いほど効果が大きい。また、消費電力を増やすことなく脱水性能を向上できるという利点がある。しかし、凸面のために洗濯兼脱水槽の有効容積が減少するため、脱水以降の乾燥運転での衣類の動きが悪化してしまい、脱水性能向上による消費電力低減効果と相殺し、乾燥全体では消費電力を低減することができない。
【０００９】
ここで、一般的なドラム式洗濯乾燥機の脱水時の風の流れを図１１，図１２を用いて説明する。図１１は、ドラム式洗濯乾燥機を前後方向の約中央で縦に切断し、洗濯兼脱水槽の底面を示す図である。洗濯兼脱水槽３の底壁３ｆには通気用の多数の貫通孔３ｄ１が設けてある。また、底壁中心から放射状に複数本の凸状リブ１１が形成されている。図１２は、ドラム式洗濯乾燥機の左右方向の中央で縦に切断した断面図である。図１２（ａ）は脱水回転中にファンユニットを運転している場合の風の流れを、図１２（ｂ）はファンユニット停止時の風の流れを示す。風の流れは矢印で示している。ファンユニット運転時は、ノズルから洗濯兼脱水槽３内に流入した温風は、直接貫通孔３ｄ１から外槽内に流出したり（矢印Ａ）、及び凸状リブ１１のファン作用で底壁３ｆの中心部から吸込まれ底壁３ｆの外縁側に流れ、洗濯兼脱水槽３の外周壁に張り付いている衣類に当たり貫通孔３ｄ１から外槽内に流出する（矢印Ｂ）。外槽に流出した温風は、吸気口２ａから乾燥ダクト２９に吸込まれる。そしてフィルタダクト２７を通り（矢印４３）、送風ファン２８に吸込まれ、再び洗濯兼脱水槽内に戻るように循環する。
【００１０】
一方、ファンユニットが停止している場合は、上記と同様凸状リブ１１のファン作用で矢印Ｂの空気の流れが発生する。そして、貫通孔３ｄ１から外槽内に流出した空気の一部は、洗濯兼脱水槽３の外周壁と外槽の内周壁とのすき間を洗濯兼脱水槽の前側に向かい流れ、洗濯兼脱水槽内に戻り（矢印Ｄ）、残りは底壁の内周側の貫通孔から再び洗濯兼脱水槽内へ戻る（矢印Ｅ）。このため、衣類の表面を流れる風の量はそれほど多くない。
【００１１】
本発明の目的は、消費電力を増すことなく脱水性能を向上させ、乾燥運転の消費電力を低減することができる洗濯乾燥機を提供することにある。
【課題を解決するための手段】
【００１２】
上記目的を達成するために本発明の特徴とするところは、
衣類が収容される回転ドラムと、この回転ドラムを収容し回転ドラムと同芯上に配置し洗濯用の水を溜める外槽と、前記回転ドラムを駆動するモータと、前記回転ドラムを支持する筐体と、前記回転ドラム内に温風を供給する送風手段を有し、乾燥運転する洗濯乾燥機において、前記回転ドラムに前記モータ回転軸を接続する回転ドラム底壁面に中央から放射状に延びる複数本の凸状リブを有するとともに、前記底壁面の外周部を通気を遮断する構成とする又は通気用の貫通孔を設けない。また、前記凸状リブは前記回転ドラムの回転方向に対し捩れ角を有するように構成する。
【００１３】
さらに、衣類が収容される回転ドラムと、この回転ドラムを収容し回転ドラムと同芯上に配置し洗濯用の水を溜める外槽と、前記回転ドラムを駆動するモータと、前記回転ドラムを支持する筐体と、前記回転ドラム内に温風を供給する送風手段を有し、乾燥運転する洗濯乾燥機において、前記回転ドラムに前記モータ回転軸を接続する回転ドラム底壁面に中央から放射状に延びる複数本の凸状リブを有するとともに、前記底壁面の半径の少なくとも半分以上の部分には通気用の貫通孔を設けない。
【発明の効果】
【００１４】
このように構成した洗濯乾燥機は、乾燥初期に行う回転ドラムを高速回転させ脱水しながら衣類を温める温風脱水工程で、凸状リブの回転によるファン作用で発生した空気が外槽に流出することなく、回転ドラムの胴板部に遠心力で張り付いている衣類の表面を多量に流れるため、衣類を効率よく温めるとともに、衣類の表面からの水分の蒸発を促進し、脱水工程での消費電力量を増加することなく衣類の含水量を低減できる。このため、乾燥運転の消費電力量が低減でき、省エネ化を実現できる。
【発明を実施するための最良の形態】
【００１５】
以下、本発明の一実施について、図面を用いて説明する。
【００１６】
図１は本発明の一実施の形態例に係るドラム式洗濯乾燥機の外観図である。図２は内部の構造を示すために筐体の一部を切断して示した斜視図、図３は内部の構造を示すために背面カバーを取り外した背面図、図４は内部の構造を示す側面図、図５は内部の構造を示すために筐体の一部を切断して示した平面図、図６は洗濯兼脱水槽の底壁を示す縦断面図である。
【００１７】
１は、外郭を構成する筐体である。筐体１は、ベース１ｈの上に取り付けられており、左右の側板１ａ，１ｂ，前面カバー１ｃ，背面カバー１ｄ，上面カバー１ｅ，下部前面カバー１ｆで構成されている。左右の側板１ａ，１ｂは、コの字型の上補強材（図示せず）、前補強材（図示せず）、後補強材（図示せず）で結合されており、ベース１ｈを含めて箱状の筐体１を形成し、筐体として十分な強度を有している。
【００１８】
９は、前面カバー１ｃの略中央に設けた衣類を出し入れするための投入口を塞ぐドアで、前補強材に設けたヒンジで開閉可能に支持されている。ドア開放ボタン９ｄを押すことでロック機構（図示せず）が外れてドアが開き、ドアを前面カバー１ｃに押し付けることでロックされて閉じる。前補強材は、後述する外槽の開口部と同心に、衣類を出し入れするための円形の開口部を有している。
【００１９】
６は、筐体１の上部中央に設けた操作パネルで、電源スイッチ３９，スタートスイッチ１２，操作ボタンスイッチ１３，表示器１４を備える。操作パネル６は、筐体１下部に設けた制御装置３８に電気的に接続している。
【００２０】
３は、回転可能に支持された円筒状の洗濯兼脱水槽（回転ドラム）であり、その円筒外周壁３ｅに通水および通風のための多数の貫通孔３ｄを有し、前側端面に衣類を出し入れするための開口部３ａを設けてある。開口部３ａの外側には洗濯兼脱水槽３と一体の流体バランサ３ｃを備えている。洗濯兼脱水槽３の底壁３ｆには中心から外縁部に延びる複数本の放射状の凸状リブが形成されている。外周壁３ｅの内側には軸方向に延びるリフタ３ｂが複数個設けてあり、洗濯，乾燥時に洗濯兼脱水槽３を回転すると、衣類はリフタ３ｂと遠心力で外周壁に沿って持ち上がり、重力で落下するように動きを繰り返す。洗濯兼脱水槽３の回転中心軸は、水平または開口部３ａ側が高くなるように傾斜している。
【００２１】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３の底壁３ｆの中心と結合している。前面の開口部には外槽カバー２ｄを設け、外槽内への貯水を可能としている。外槽カバー２ｄの前側中央には、衣類を出し入れするための開口部２ｃを有している。本開口部２ｃと前補強材３７に設けた開口部は、ゴム製のベローズ１０で接続しており、ドア９を閉じることで外槽２を水封する。外槽２底面最下部には、排水口２ｂが設けてあり、排水ホース２６が接続している。排水ホース２６の途中には排水弁（図示せず）が設けてあり、排水弁を閉じて給水することで外槽２に水を溜め、排水弁を開いて外槽２内の水を機外へ排出する。
【００２２】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向へ倒れを防ぐ。
【００２３】
１９は、筐体１内の上部左側に設けた洗剤容器で、前部開口から引き出し式の洗剤トレイ７を装着する。洗剤類を入れる場合は、洗剤トレイ７を図１の二点鎖線で示すように引き出す。洗剤容器１９は、筐体１の上補強材に固定されている。
【００２４】
洗剤容器１９の後ろ側には、給水電磁弁１６や風呂水給水ポンプ１７、水位センサ（図示せず）など給水に関連する部品を設けてある。洗剤容器１９は、外槽２に接続されている。給水電磁弁１６は多連弁で、１６ｂは主給水電磁弁で洗剤容器１９を通し外槽２へ洗濯水を供給する。１６ｃは柔軟仕上げ剤給水電磁弁で、洗剤容器１９を通し外槽へ給水する。１６ｄは冷却水給水電磁弁で水冷除湿機構（図示せず）へ給水する。１６ｄはミスト給水電磁弁で後述するミスト生成部へ給水する。上面カバー１ｅには、水道栓からの給水ホース接続口１６ａ，風呂の残り湯の吸水ホース接続口１７ａが設けてある。
【００２５】
２９は筐体１の背面内側に縦方向に設置した乾燥ダクトで、ダクト下部は外槽２の背面下方に設けた吸気口２ａにゴム製の蛇腹管Ｂ２９ａで接続される。乾燥ダクト２９内には、水冷除湿機構（図示せず）を内蔵しており、給水電磁弁１６から水冷除湿機構へ冷却水を供給する。冷却水は乾燥ダクト２９の壁面を伝わって流下し吸気口２ａから外槽２に入り排水口２ｂから排出される。
【００２６】
乾燥ダクト２９の上部は、筐体１内の上部右側に前後方向に設置したフィルタダクト２７に接続している。フィルタダクト２７の前面には開口部を有しており、この開口部に引き出し式の乾燥フィルタ８を挿入してある。乾燥ダクト２９からフィルタダクト２７へ入った空気は、乾燥フィルタ８のメッシュフィルタ８ａに流入し糸くずが除去される。乾燥フィルタ８の掃除は、乾燥フィルタ８を引き出してメッシュ式のフィルタ８ａを取り出して行う。また、フィルタダクト２７の乾燥フィルタ８挿入部の下面には開口部が設けてあり、この開口部は吸気ダクト３３が接続しており、吸気ダクト３３の他端は送風ファン２８の吸気口と接続している。
【００２７】
送風ファン２８は、駆動用のモータ２８ａ，ファン羽根車（図示せず），ファンケース２８ｂで構成されている。ファンケース２８ｂにはヒータ３１が内蔵されており、ファン羽根車から送られる空気を加熱する。送風ファン２８の吐出口は温風ダクト３０に接続する。温風ダクト３０は、ゴム製の蛇腹管Ａ３０ａ，蛇腹管継ぎ手３０ｂを介して外槽カバー２ｄに設けた温風吹出し口３２に接続している。本実施例では、送風ファン２８が筐体１内の上部右側に設けてあるので、温風吹出し口３２は外槽カバー２ｄの右斜め上の位置に設け、温風吹出し口３２までの距離を極力短くするようにしてある。
【００２８】
排水口２ｂ，送風ファン２８の吸気口及び吐出口には温度センサ（図示せず）が設けてある。
【００２９】
乾燥運転時の風の流れは次のようになる。送風ファン２８を運転し、ヒータ３１に通電すると、ノズル３２ｄから洗濯兼脱水槽３内に高速の温風が吹き込み（矢印４１）、湿った衣類に当たり、衣類を温め衣類から水分が蒸発する。高温多湿となった空気は、洗濯兼脱水槽３に設けた貫通孔から外槽２に流れ、吸気口２ａから乾燥ダクト２９に吸込まれ、乾燥ダクト２９を下から上へ流れる（矢印４２）。乾燥ダクト２９の壁面には、水冷除湿機構からの冷却水が流れ落ちており、高温多湿の空気は冷却水と接触することで冷却除湿され、乾いた低温空気となりフィルタダクト２７へ入る（矢印４３）。フィルタダクト２７に設けたメッシュフィルタ８ａを通り糸屑が取り除かれ、吸気ダクト３３に入り、送風ファン２８に吸込まれる（矢印４４）。そして、ヒータ３１で再度加熱され、洗濯兼脱水槽３内に吹き込むように循環する。この間、洗濯兼脱水槽３を低速で正逆回転させ、衣類をノズル３２ｄの近くまで持ち上げ、高速の温風が衣類に直接当たるようにする。
【００３０】
温風脱水時の風の流れを図７を用いて説明する。図７（ａ）は送風ファン２８を運転し、ヒータ３１に通電しノズル３２ｄから洗濯兼脱水槽３内に温風を吹き込んでいる場合を、図７（ｂ）は送風ファン２８が停止している場合を示す。なお、風の流れは、図中矢印で示してある。実際には、洗濯兼脱水槽３が高速で回転しているため、洗濯兼脱水槽３の回転方向の空気の流れがあるが、ここでは、説明のためにこの流れは省略してある。また、脱水中は遠心力により衣類は洗濯兼脱水槽３の外周壁３ｅに張り付きドウナツ状になっている。このため、外周壁３ｅにある貫通孔３ｄは衣類で塞がれているため、貫通孔３ｄを洗濯兼脱水槽３の内側から外側へ通過する空気の流れはほとんどない。
【００３１】
まず、送風ファン２８を運転している場合について説明する。洗濯兼脱水槽３が回転すると底壁３ｆに形成された凸状リブ１１が遠心ファンとなる。ノズルから出た温風（矢印４１）は、底壁３ｆの中心から吸込まれ底壁３ｆの外縁側へ流れる（矢印４５）。そして、外周壁３ｅに張り付いている衣類に当たり、流れ方向を略９０度曲げ衣類の表面に沿って流れ衣類の温度を上昇させながら、洗濯兼脱水槽３の開口部３ａに向かい流れる。洗濯兼脱水槽３の前側に到達した空気は、外槽カバー２ｄと流体バランサ３ｃのすき間から洗濯兼脱水槽３と外槽２とのすき間に流れ、吸気口２ａから乾燥ダクト２９に吸込まれる（矢印４６）。そしてフィルタダクト２７を通り（矢印４３）、吸気ダクト３３を経て送風ファン２８に吸込まれる（矢印４４）。また、洗濯兼脱水槽３の前側に到達した空気の一部は再び底壁３ｆの中心に吸込まれるように還流する（矢印４７）。
【００３２】
次に、送風ファン２８が停止している場合について説明する。この場合も洗濯兼脱水槽３が回転すると凸状リブ１１の遠心ファン作用で、空気は洗濯兼脱水槽３の底壁３ｆの中心部分から吸込まれ外縁側へ流れる。そして、上記と同様外周壁３ｅに張り付いている衣類に当たり流れ方向を変え、衣類表面に沿って洗濯兼脱水槽３の開口部３ａに向かい流れる。洗濯兼脱水槽３の前側に達した空気は、ドア９に沿って洗濯兼脱水槽３の中心に向かい流れ、再び底壁３ｆの中心に吸込まれるように循環する（矢印４８）。
【００３３】
このように、温風が衣類の表面を確実に流れるため、衣類を効率よく暖めることができる。更に、衣類からの水分の蒸発も促進される。このため、脱水回転数を上昇させることなく、すなわち、消費電力を増大させることなく衣類の含水量を低減できる。
【００３４】
また、洗濯兼脱水槽３の底壁３ｆに貫通孔がないため、次のような効果もある。ドラム式洗濯乾燥機は、洗濯兼脱水槽３内に入れた衣類を、洗濯兼脱水槽３を低速で回転させリフタ３ｂで持ち上げ落下させながら、衣類を洗濯する方式である。濡れた衣類を持ち上げるため洗濯兼脱水槽３を駆動するモータ４は低速、高トルクの特性が求められる。この特性のまま脱水運転させようとすると、洗濯時に比べると低トルクであるが、高速回転させるためにはトルク不足となる。このため、モータ４の駆動電圧を高くして電流を多く流しトルクアップする制御を行っているが、モータ効率が低くなるため、モータ４が発熱する。一般には、冷却ファンで冷却し、この熱は捨てている。本発明では、モータの発熱を脱水に有効に利用できる。モータ４の発熱の一部は、モータ４の回転軸４ａと通り洗濯兼脱水槽３の底壁３ｆに伝導する。このとき、底壁３ｆに貫通穴がなく、底壁３ｆの熱伝導面積が大きい（熱抵抗が小さい）ため、モータからの熱が洗濯兼脱水槽３の外周壁３ｅに伝わりやすく、外周壁３ｅの温度が上昇する。したがって、外周壁３ｅに接している衣類の温度が上昇する。
【００３５】
脱水は、高速回転による遠心力により衣類から水分を除去する操作である。脱水中、衣類は洗濯兼脱水槽３の外周壁３ｅに張り付いており、衣類に含まれる水は衣類の内側から外周壁３ｅ側に向かい流れ、外周壁３ｅに設けてある貫通孔３ｄから外槽２内に排出される。衣類には繊維内や繊維間に細かいすき間が形成されており、この部分に入った水の毛管作用で衣類内に水分を保持しようとする。脱水が進行すると、この毛管力と遠心力が釣り合い、これ以上水を除去することができなくなる。このため、洗濯兼脱水槽３の外周壁３ｅに近づくほど衣類の局所的な含水量が増加する。毛管力は水の界面張力に比例するが、水温が上昇すると界面張力が低下するため、衣類の温度を高くすると含水量を減らすことができる。本発明では、上記のようにモータの発熱を効率よく洗濯兼脱水槽３の外周壁３ｅに伝導できるため、含水量が多い外周壁３ｅ近傍の衣類の含水量を低減できる効果がある。
【００３６】
本実施の形態例によれば、従来の底壁に貫通孔がある場合に比べ、同一回転数において脱水率（＝乾燥衣類重量／脱水後衣類重量×１００％）を０.５から１.０％改善でき、乾燥運転における消費電力量を数十Ｗｈ程度低減可能である（綿と化繊の割合が６０％，４０％程度の衣類の場合）。
【００３７】
図８は、洗濯兼脱水槽３底壁３ｆの凸状リブの別の形態例である。図中の矢印は洗濯兼脱水槽３の脱水回転時の回転方向を示す。本実施の形態例は凸状リブ２１が回転方向に対して寝ていることが特徴である。これにより、凸状リブ２１のファンとしての性能が向上し、風量が増加するため、衣類の温度上昇や衣類表面からの水分の蒸発を更に促進でき、より一層脱水性能が向上する。
【００３８】
底壁３ｆに貫通孔がないと、脱水時の騒音低減の効果もある。底壁３ｆに貫通孔がある場合、図１２（ｂ）で示したように、脱水回転時に貫通孔を通過する空気のために洗濯兼脱水槽３の底壁部での流れが複雑でかつ乱れたものとなる。また、洗濯兼脱水槽３の外周面と外槽２の内周面との間の狭いすき間を前に向かい流れる流れＤが生じる。このため、風きり音が発生する。これに対して、本実施の形態例では、図７（ｂ）で示したように、洗濯兼脱水槽３内での循環流が主で、乱れた流れが生じにくいため、風きり音が小さくなり、脱水時の騒音が低減する。
【００３９】
なお、以上の説明では、底壁３ｆに貫通孔が全くない場合について説明してきたが、少なくとも、底壁３ｆの半径の半分より外側の部分に貫通孔を設けないようにすれば、凸状リブのファン作用で底壁３ｆの外縁部に流れた空気が貫通孔を通過して外槽に流出することがないため、空気が衣類の表面に沿って流れ、上記で説明したのと同様な効果を発揮できる。
【００４０】
図９は、洗濯乾燥機の制御装置３８のブロック図である。５０はマイクロコンピュータで、各スイッチ１２，１３，１３ａに接続される操作ボタン入力回路５１や水位センサ３４，温度センサ５２と接続され、使用者のボタン操作や洗濯工程，乾燥工程での各種情報信号を受ける。マイクロコンピュータ５０からの出力は、駆動回路５４に接続され、給水電磁弁１６，排水弁２５，モータ４，送風ファン２８，ヒータ３１などに接続され、これらの開閉や回転，通電を制御する。また、使用者に洗濯機の動作状態を知らせるための７セグメント発光ダイオード表示器１４や発光ダイオード５６，ブザー５７に接続される。
【００４１】
前記マイクロコンピュータ５０は、電源スイッチ３９が押されて電源が投入されると起動し、図１０に示すような洗濯および乾燥の基本的な制御処理プログラムを実行する。
【００４２】
ステップＳ１０１
洗濯乾燥機の状態確認及び初期設定を行う。
【００４３】
ステップＳ１０２
操作パネル６の表示器１４を点灯し、操作ボタンスイッチ１３からの指示入力にしたがって洗濯／乾燥コースを設定する。指示入力がない状態では、標準の洗濯／乾燥コースまたは前回実施の洗濯／乾燥コースを自動的に設定する。例えば、操作ボタンスイッチ１３ａを指示入力された場合は、乾燥の高仕上げコースを設定する。
【００４４】
ステップＳ１０３
操作パネル６のスタートスイッチ１２からの指示入力を監視して処理を分岐する。図には記載していないが、スタートスイッチ１２が押されたら、布量センシングを実施する。布量センシングは、例えば、洗濯兼脱水槽３を低速で回転させ、あるいは規定の回転数まで加速させ、そのときのモータ４の電流値から測定する。そして、表示器１４ｋに乾燥が終了するまでの時間を表示する。
【００４５】
ステップＳ１０４
洗濯を実行する。洗濯は洗い，中間脱水，すすぎ，最終脱水を順次実行するが、通常のドラム式洗濯乾燥機と同様であるので、詳細な説明は省略する。
【００４６】
ステップＳ１０５
洗濯乾燥コースが設定されているかどうかを確認して処理を分岐する。洗濯コースのみが設定されている場合は、運転を終了する。
【００４７】
ステップＳ１０６
洗濯乾燥コースが設定されている場合は、温風脱水を実行する。温風脱水は、送風ファン２８を低速回転で運転し、ヒータ３１に通電して温風を洗濯兼脱水槽３内に吹き込み衣類の温度を上昇させる。同時に、洗濯兼脱水槽３を高速で回転させ温まった衣類から効果的に水分を脱水する。本実施の形態例では、脱水回転時に衣類表面を流れる風量が多く、かつモータ４の発熱で洗濯兼脱水槽３の外壁面３ｅが暖められ、衣類の温度が上昇するため、温風脱水の工程を通してヒータ３１に通電する必要はなく、消費電力量を低減できる。
【００４８】
ステップＳ１０７
乾燥運転を実行する。送風ファン２８，ヒータ３１を運転し、洗濯兼脱水槽３の正逆回転を繰り返し、洗濯兼脱水槽３内の衣類の位置を入れ替えながら、高温の温風を衣類に吹き付ける。衣類全体の温度が上昇し衣類から水分が蒸発する。
【００４９】
ステップＳ１０８
温風の温度や冷却水の排水温度などにより、乾燥の完了を判定し処理を分岐する。
【００５０】
ステップＳ１０９
冷却運転を実施する。洗濯兼脱水槽３の正逆回転はそのままで、送風ファン２８を運転したままヒータ３１の通電を止め、送風を行う。予め規定された時間あるいは、循環する空気が所定の温度以下になるまで送風を行い、衣類を冷却して乾燥運転を終了する。
【００５１】
以上、本実施例によれば、衣類が収容される回転ドラムと、この回転ドラムを収容し回転ドラムと同芯上に配置し洗濯用の水を溜める外槽と、前記回転ドラムを駆動するモータと、前記回転ドラムを支持する筐体と、前記回転ドラム内に温風を供給する送風手段を有し、乾燥運転する洗濯乾燥機において、前記回転ドラムに前記モータ回転軸を接続する回転ドラム底壁面に中央から放射状に延びる複数本の凸状リブを有するとともに、前記底壁面の外周部を通気を遮断する構成とする（又は回転ドラム底壁面に通気用の貫通孔を設けない。）。
【００５２】
また、前記凸状リブは前記回転ドラムの回転方向に対し捩れ角を有するように構成する。
【００５３】
さらに、衣類が収容される回転ドラムと、この回転ドラムを収容し回転ドラムと同芯上に配置し洗濯用の水を溜める外槽と、前記回転ドラムを駆動するモータと、前記回転ドラムを支持する筐体と、前記回転ドラム内に温風を供給する送風手段を有し、乾燥運転する洗濯乾燥機において、前記回転ドラムに前記モータ回転軸を接続する回転ドラム底壁面に中央から放射状に延びる複数本の凸状リブを有するとともに、前記底壁面の半径の少なくとも半分以上の部分には通気用の貫通孔を設けない。
【００５４】
このように構成した洗濯乾燥機は、乾燥初期に行う回転ドラムを高速回転させ脱水しながら衣類を温める温風脱水工程で、凸状リブの回転によるファン作用で発生した空気が外槽に流出することなく、回転ドラムの胴板部に遠心力で張り付いている衣類の表面を多量に流れるため、衣類を効率よく温めるとともに、衣類の表面からの水分の蒸発を促進し、脱水工程での消費電力量を増加することなく衣類の含水量を低減できる。このため、乾燥運転の消費電力量が低減でき、省エネ化を実現できる。
【図面の簡単な説明】
【００５５】
【図１】本発明のドラム式洗濯乾燥機を示す外観図である。
【図２】本発明のドラム式洗濯機の筐体の一部を切断して内部構造を示す斜視図である。
【図３】本発明のドラム式洗濯機の背面カバーを外して内部構造を示す背面図である。
【図４】本発明のドラム式洗濯機の内部構造を示す側面図である。
【図５】本発明のドラム式洗濯機の筐体の上部を切断して内部構造を示す上面図である。
【図６】本発明のドラム式洗濯乾燥機を前後方向の略中央部で縦に切断して洗濯兼脱水槽底壁面を示す断面図である。
【図７】本発明のドラム式洗濯乾燥機を左右方向の中央部で縦に切断し、脱水時の風の流れを示す断面図である。
【図８】本発明のドラム式洗濯乾燥機を前後方向の略中央部で縦に切断して洗濯兼脱水槽底壁面を示す断面図である。
【図９】洗濯乾燥機の制御系のブロック線図である。
【図１０】図９に示した制御系のコントローラにおけるマイクロコンピュータが実行する制御処理の一部を示すフローチャートである。
【図１１】従来のドラム式洗濯乾燥機を前後方向の略中央部で縦に切断して洗濯兼脱水槽底壁面を示す断面図である。
【図１２】従来のドラム式洗濯乾燥機を左右方向の中央部で縦に切断し、脱水時の風の流れを示す断面図である。
【符号の説明】
【００５６】
１  筐体
２  外槽
２ｄ  外槽カバー
３  洗濯兼脱水槽
３ｆ  底壁
４  モータ
６  操作パネル
８  乾燥フィルタ
９  ドア
１１，２１  凸状リブ
１２  スタートスイッチ
１３  操作ボタンスイッチ
１６  給水電磁弁
２７  フィルタダクト
２８  送風ファン
２８ａ  モータ
２８ｂ  ファンケース
２９  乾燥ダクト
３１  ヒータ
３２  温風吹出し口
３２ｄ  ノズル
３３  吸気ダクト
３８  制御装置
【図１】
2010057771.tif 000003
【図２】
2010057771.tif 000004
【図３】
2010057771.tif 000005
【図４】
2010057771.tif 000006
【図５】
2010057771.tif 000007
【図６】
2010057771.tif 000008
【図７】
2010057771.tif 000009
【図８】
2010057771.tif 000010
【図９】
2010057771.tif 000011
【図１０】
2010057771.tif 000012
【図１１】
2010057771.tif 000013
【図１２】
2010057771.tif 000014